(57)【特許請求の範囲】
【請求項１】
光源を収容した筐体に形成された開口部を透光体により覆い、該光源が発した光を該透光体により拡散して出射する照明装置において、
前記筐体は、前記開口部の周縁から外側に張り出した張出部を有しており、
該張出部を、該張出部との間に前記透光体を介して覆う枠体を備え、
前記枠体は、前記透光体の側面に対向し、前記張出部に対向して当接するリブを備え、  該リブは、一部に欠落部を有して前記枠体の辺の長さ方向に設けられ、前記透光体からの押圧力による撓み変形が可能に構成してあり、
前記透光体は、該欠落部に挿通されて前記リブの外側に突出する突出部を備えることを特徴とする照明装置。
【請求項２】
前記リブは、前記枠体の他の部分よりも薄く形成され、前記透光体の側面から離隔して対向していることを特徴とする請求項１に記載の照明装置。
【請求項３】
前記枠体は、矩形枠状であり、
前記リブは、前記枠体の短手方向に間隔を隔てて複数突設されていることを特徴とする請求項１に記載の照明装置。
【請求項４】
請求項１から請求項３のいずれか１つに記載の照明装置と、
該照明装置の前記透光体に対向配置された表示パネルとを備え、
前記透光体からの出射光を前記表示パネルの背面に照射し、該表示パネルの正面に画像を表示するように構成してあることを特徴とする表示装置。
【発明の詳細な説明】
【技術分野】
【０００１】
本発明は、例えば、液晶パネル（表示パネル）に光を照射するバックライトとして使用される照明装置、及びこの照明装置を備える表示装置に関する。
【背景技術】
【０００２】
近年、液晶パネルを画像表示部として備える表示装置が広く普及している。この表示装置は、液晶パネルの背後にバックライト（照明装置）を配置し、該バックライトの発光を液晶パネルにより変調して透過させ、該液晶パネルの正面に画像を表示するように構成されている。【０００３】
バックライトとしては、液晶パネルの背面全体に対向する位置に光源を配置する直下型と、液晶パネルの端面に対向する位置に光源を配置するエッジライト型とが採用されている。【０００４】
直下型のバックライトは、浅底箱形をなすバックライトシャーシ（筺体）の底面上に光源を並べ、該バックライトシャーシの開口部を光の拡散機能を有する拡散板（光学シート）により覆って構成されている（特許文献１参照）。拡散板は前記筐体の開口縁に載置してある。開口縁に立設された突設部は筺体を補強するリブとして作用している。
【先行技術文献】
【特許文献】
【０００５】
【特許文献１】特開２００５−２７６７１６号公報
【発明の概要】
【発明が解決しようとする課題】
【０００６】
特許文献１に記載のバックライトは、拡散板が光源の発光に伴って発生する熱により熱膨張した場合、拡散板が突設部に熱膨張を邪魔されて歪んでしまうという問題がある。バックライトは拡散板の歪みを防止することを目的として、拡散板と突設部との間に隙間を確保することで解決できるけれども、近年の表示装置は狭額縁化しているため、熱膨張を十分に吸収するだけの十分な隙間を確保することが難しい。【０００７】
本発明は斯かる事情に鑑みてなされたものであり、その目的とするところは、熱膨張を吸収し、かつ狭額縁化に対応する照明装置及び該照明装置を備えた表示装置を提供することにある。
【課題を解決するための手段】
【０００８】
本発明に係る照明装置は、光源を収容した筐体に形成された開口部を透光体により覆い、該光源が発した光を該透光体により拡散して出射する照明装置において、前記筐体は、前記開口部の周縁から外側に張り出した張出部を有しており、該張出部を、該張出部との間に前記透光体を介して覆う枠体を備え、前記枠体は、前記透光体の側面に対向し、前記張出部に対向して当接するリブを備え、該リブは、一部に欠落部を有して前記枠体の辺の長さ方向に設けられ、前記透光体からの押圧力による撓み変形が可能に構成してあり、前記透光体は、該欠落部に挿通されて前記リブの外側に突出する突出部を備えることを特徴とする。
【０００９】
本発明に係る照明装置は、前記リブは、前記枠体の他の部分よりも薄く形成され、前記透光体の側面から離隔して対向していることを特徴とする。
【００１１】
本発明に係る照明装置は、前記枠体は、矩形枠状であり、前記リブは、前記枠体の短手方向に間隔を隔てて複数突設されていることを特徴とする。【００１２】
本発明に係る表示装置は、照明装置と、該照明装置の前記透光体に対向配置された表示パネルとを備え、前記透光体からの出射光を前記表示パネルの背面に照射し、該表示パネルの正面に画像を表示するように構成してあることを特徴とする。
【発明の効果】
【００１３】
本発明によれば、透光体が熱膨張によりリブに当接した場合、リブが撓むことにより、透光体の歪みを防止することができる。このため、照明装置は熱膨張を吸収し、かつ狭額縁化に対応することができる。
【図面の簡単な説明】
【００１４】
【図１】実施の形態１に係る表示装置の外観を略示する斜視図である。
【図２】図１のII−II線による縦断面図である。
【図３】拡散板が熱膨張した場合のII−II線による縦断面図である。
【図４】実施の形態２に係るリブ付近を示す断面斜視図である。
【図５】実施の形態３に係るリブ付近を示す断面斜視図である。
【発明を実施するための形態】
【００１５】
以下、本発明をその実施の形態を示す図面に基づいて詳述する。
【００１６】
実施の形態１
図１は、実施の形態１に係る表示装置の外観を略示する斜視図、図２は、図１のII−II線による縦断面図であり、バックライト２の上面右側を示している。図示の表示装置は、矩形板状をなす画像表示用の液晶パネル（表示パネル）１と、該液晶パネル１に光を照射するバックライト（照明装置）２とを備えている。
【００１７】
液晶パネル１には、矩形枠状の正面キャビネット１０が、正面（画像表示面）の周縁を適幅に亘って縁取るように組み付けてある。図１には、正面キャビネット１０の枠内に露出する液晶パネル１の画像表示面のみが示されている。液晶パネル１の背面側は、バックライト２の外筐を構成するバックライトシャーシ２０により覆われている。バックライトシャーシ２０は、液晶パネル１の背面側に後述の如く組み付けられる。
【００１８】
図１に示す表示装置は、バックライトシャーシ２０の背面に取付けた受信部１１及び信号処理部１２を備えるテレビジョン受信機として構成されている。受信部１１は、図示しないアンテナに接続され、該アンテナを介してテレビジョン放送を受信する。信号処理部１２は、受信部１１が受信したテレビジョン放送に係るデータを復調し、復調したデータから画像データを分離し、分離した画像データを出力する。液晶パネル１は、信号処理部１２が出力した画像データに基づく画像を画像表示面に表示する。
【００１９】
表示装置は、更にスタンド１３を備えている。スタンド１３は、バックライトシャーシ２０の一長辺の中央部から垂直に突き出す脚柱の先端に、該脚柱に対して略垂直に拡がるようにＨ形に成形された脚部を連設してなる。表示装置は、載置面上にスタンド１３を介して支持し、液晶パネル１の画像表示面を縦姿勢に保って使用される。以下の説明においては、液晶パネル１の画像表示面の側を前、他側を後とする。また、以下の説明で使用する上、下は、前述した使用状態での上、下に対応し、同じく左、右は、使用状態において前側から見て左、右に対応する。
【００２０】
図２に示すバックライト２は、浅底の箱形に成形されたバックライトシャーシ２０の底板上に、複数のＬＥＤ（光源）２２（１つのみ図示）を縦横に並べて収容し、底板の面内に多数のＬＥＤ２２を均等に配置し、バックライトシャーシ２０の開口部を、開口部よりも大きく、左右方向に長い矩形状の透光性の板状体である拡散板（透光体）２３で覆って構成されている。バックライトシャーシ２０の底板は、光反射性に優れた反射シート２４により複数のＬＥＤ２２の配設位置を除いて全面に亘って覆ってあり、各ＬＥＤ２２の発光を反射シート２４により反射して、バックライトシャーシ２０の開口部の周縁から外側に張り出した張出部２１に保持され、光を均等に拡散する拡散板２３により出射するように構成してある。
【００２１】
枠体２５は可撓性を有する樹脂製の矩形枠状の部材であり、張出部２１を、張出部２１との間に拡散板２３を介して覆う。また枠体２５は拡散板２３の側面から離隔して位置し、張出部２１に対向して当接するリブ２５１が設けられている。図に示すように、リブ２５１は枠体２５の他の部分よりも内外方向の厚さが薄く形成され、枠体２５の辺の長さ方向に設けられたリブであり、厚さ方向に圧力が加わった場合、撓み変形可能としてある。
【００２２】
拡散板２３はＬＥＤ２２の発光に伴って発生する熱により熱膨張する。図３は拡散板２３が熱膨張した場合のII−II線による縦断面図である。図３に示すように、拡散板２３がＬＥＤ２２の発光に伴って発生する熱により熱膨張した場合、拡散板２３が右側に膨張してリブ２５１に当接し、当接した拡散板２３はリブ２５１を右側に押圧する。押圧されたリブ２５１は右側に撓み変形する。
【００２３】
表示装置は上述のバックライト２、枠体２５の上に載置された光学シート１２０、及びバックライト２とバックライト２の拡散板２３に対向配置された正面キャビネット１０との間に挟持された液晶パネル１により構成される。
【００２４】
なお、上述では、バックライト２の上面右側についてのみ図示して説明をしたが、同様な構成がバックライト２の上面左側、下面右側、下面左側に設けてある。
【００２５】
以上のようにバックライトシャーシ２０の張出部２１に保持された拡散板２３が熱膨張によりリブ２５１に当接した場合、リブ２５１は撓むようにしてあるため、バックライト２は熱膨張による拡散板２３の歪みを防止することができる。このことにより、バックライト２は熱膨張を吸収し、かつ正面キャビネット１０の狭額縁化に対応することができる。
【００２６】
実施の形態２
図４は実施の形態２に係るリブ２５１付近を示す断面斜視図であり、バックライト２の上面右側を示している。以下、特に説明する構成、作用以外の構成及び作用は実施の形態１と同等であり、簡潔のため記載を省略する。
【００２７】
リブ２５１は、枠体２５の短手方向に間隔を隔てて突設された複数の矩形状のリブ２５ａで構成され、全体として櫛型状をなしている。拡散板２３が熱膨張によりリブ２５１に当接した場合、リブ２５１は拡散板２３の押圧に対する反発力が小さくなることにより撓み易くなる。
【００２８】
以上のように実施の形態２においては、リブ２５１が実施の形態１と同じように拡散板２３の押圧により撓み変形するため、リブ２５１と拡散板２３との間の隙間を短くすることができる。このことによりバックライト２は熱膨張を吸収し、かつ正面キャビネット１０の狭額縁化に対応することができる。
【００２９】
実施の形態３
図５は実施の形態３に係るリブ２５１付近を示す断面斜視図であり、バックライト２の上面右側を示している。以下、特に説明する構成、作用以外の構成及び作用は実施の形態１又は実施の形態２と同等であり、簡潔のため記載を省略する。
【００３０】
図５に示すように、リブ２５１は一部に断面矩形状の欠落部２５ｂが形成されている。拡散板２３は、拡散板２３から欠落部２５ｂを挿通し、拡散板２３の右側面部から該右側面部の垂直方向に突設した断面矩形状の突出部２３ａを備える。
【００３１】
以上のように本実施の形態においては、突出部２３ａが欠落部２５ｂを挿通することにより、バックライトシャーシ２０の張出部２１に対する接地面積を増やすことで拡散板２３を安定的に載置する領域を更に確保することができる。
【００３２】
なお、本実施の形態の拡散板２３は左右方向に長い矩形状であるため、左側及び右側の熱膨張が大きく、上面側及び下面側の熱膨張は小さい。このため、本実施の形態のリブ２５１は拡散板２３の上面側及び下面側に形成されなくてもよい。なお、本実施の形態の拡散板２３は光学シートを正面に載置したアクリル板等でもよい。
【００３３】
本発明の一様態によれば、バックライト２は、ＬＥＤ２２を収容したバックライトシャーシ２０に形成された開口部を拡散板２３により覆い、ＬＥＤ２２が発した光を拡散板２３により拡散して出射するバックライト２において、バックライトシャーシ２０は、開口部の周縁から外側に張り出した張出部２１を有しており、張出部２１を、張出部２１との間に拡散板２３を介して覆う枠体２５を備え、枠体２５は、拡散板２３の側面に対向し、張出部２１に対向して当接するリブ２５１を備え、リブ２５１は、拡散板２３からの押圧力による撓み変形が可能に構成してあることを特徴とする。
【００３４】
本発明の一様態によれば、バックライト２は、ＬＥＤ２２を収容したバックライトシャーシ２０に形成された開口部を拡散板２３により覆い、ＬＥＤ２２が発した光を拡散板２３により拡散して出射する。バックライトシャーシ２０は、開口部の周縁から外側に張り出した張出部２１を有しており、張出部２１を、張出部２１との間に拡散板２３を介して覆う枠体２５を備える。枠体２５は、拡散板２３の側面に対向し、張出部２１に対向して当接するリブ２５１を備える。リブ２５１は、拡散板２３からの押圧力による撓み変形が可能に構成してある。
このため、バックライト２は熱膨張を吸収し、かつ狭額縁化に対応することができる。
【００３５】
本発明の一様態によれば、リブ２５１は、枠体２５の辺の長さ方向に設けられていることを特徴とする。
【００３６】
本発明の一様態によれば、リブ２５１は、枠体２５の辺の長さ方向に設けられている。
このことにより、リブ２５１は撓み易くなっているため、バックライト２は熱膨張を吸収し、かつ狭額縁化に対応することができる。
【００３７】
本発明の一様態によれば、バックライト２は、リブ２５１は、一部に欠落部２５ｂを有し、拡散板２３は、欠落部２５ｂに挿通されてリブ２５１の外側に突出する突出部２３ａを備えることを特徴とする。
【００３８】
本発明の一様態によれば、バックライト２は、リブ２５１は、一部に欠落部２５ｂを有する。拡散板２３は、欠落部２５ｂに挿通されてリブ２５１の外側に突出する突出部２３ａを備える。
バックライトシャーシ２０の張出部２１に対する接地面積を増やすことで拡散板２３を安定的に載置する領域を更に確保することができる。
【００３９】
本発明の一様態によれば、バックライト２は、枠体２５は、矩形枠状であり、リブ２５１は、枠体２５の短手方向に間隔を隔てて複数突設されていることを特徴とする。
【００４０】
本発明の一様態によれば、バックライト２は、枠体２５は、矩形枠状である。リブ２５１は、枠体２５の短手方向に間隔を隔てて複数突設されている。
このため、リブ２５１が拡散板２３の押圧により撓み変形するため、リブ２５１と拡散板２３との間の隙間を短くすることができる。このことによりバックライト２は熱膨張を吸収し、かつ正面キャビネット１０の狭額縁化に対応することができる。
【００４１】
本発明の一様態によれば、表示装置は、バックライト２と、バックライト２の拡散板２３に対向配置された表示パネル１とを備え、拡散板２３からの出射光を表示パネル１の背面に照射し、表示パネル１の正面に画像を表示するように構成してあることを特徴とする。
【００４２】
本発明の一様態によれば、表示装置は、バックライト２と、バックライト２の拡散板２３に対向配置された表示パネル１とを備え、拡散板２３からの出射光を表示パネル１の背面に照射し、表示パネル１の正面に画像を表示する。
このため、表示装置は拡散板２３の熱膨張により画像の表示が歪むことを防止する。
【００４３】
今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。
【符号の説明】
【００４４】
１  液晶パネル（表示パネル）
２  バックライト（照明装置）
２０  バックライトシャーシ（筺体）
２１  張出部
２２  ＬＥＤ（光源）
２３  拡散板（透光体）
２３ａ  突出部
２５  枠体
２５ａ  リブ
２５ｂ  欠落部
２５１  リブ
【図１】
0006495171.tif 000002
【図２】
0006495171.tif 000003
【図３】
0006495171.tif 000004
【図４】
0006495171.tif 000005
【図５】
0006495171.tif 000006